(57)【要約】【課題】Ｕ字屈曲が繰り返し行われても十分に対応できる極細同軸ケーブルとする。【解決手段】極細同軸ケーブル１は、断面矩形状をなす平角形の中心導体３と、この中心導体３の外周を被覆する絶縁体５と、この絶縁体５の外周をシールドする外部導体７と、この外部導体７の外周を被覆するジャケット９と、から構成されている。中心導体３の断面が平角形をなす平角線であるので、極細同軸が持つ高シールド特性などの電気的優位性を維持したまま、Ｕ字屈曲に強く機械的にも優れている。【選択図】図１
2005310528.tif 000002
【特許請求の範囲】
【請求項１】
断面矩形状をなす平角形の中心導体と、この中心導体の外周を被覆する絶縁体と、この絶縁体の外周をシールドする外部導体と、この外部導体の外周を被覆するジャケットと、から構成されていることを特徴とする極細同軸ケーブル。
【請求項２】
前記外部導体が前記絶縁体の外周を横巻きする横巻き素線からなり、前記ジャケットがフッ素系樹脂からなることを特徴とする請求項１記載の極細同軸ケーブル。
【請求項３】
前記外部導体が前記絶縁体の外周を横巻きするシールドテープからなり、前記ジャケットが前記外部導体の外周を横巻きする樹脂テープからなることを特徴とする請求項１記載の極細同軸ケーブル。
【請求項４】
前記外部導体が前記絶縁体の外周を横巻きする横巻き素線からなり、前記ジャケットが前記外部導体の外周を横巻きする樹脂テープからなることを特徴とする請求項１記載の極細同軸ケーブル。
【請求項５】
断面矩形状をなす平角形の中心導体と、この中心導体の外周を被覆する絶縁体と、から中心導体ユニット部を構成すると共に、前記中心導体ユニット部の多数を、前記中心導体の長手方向に対して直交する方向の面において各中心導体ユニット部の幅方向を第１方向に向けて並列に配設し、前記面において第１方向に直交する第２方向の前記多数の中心導体ユニット部の周囲に、シールド層をなす外部導体を設けてユニット化してなることを特徴とする極細同軸ケーブル。
【発明の詳細な説明】
【技術分野】
【０００１】
この発明は、極細同軸ケーブルに関し、特にパソコンや携帯電話の液晶モニタの配線材として使用される極細同軸ケーブルに関する。
【背景技術】
【０００２】
医療機器に広く用いられてきた極細同軸ケーブル及びそのアセンブリ品は、近年では民生機器内配線、特にパソコンや携帯電話の液晶モニタの配線材として市場からのニーズが高まってきた。同軸ケーブルが持つ安定した伝送特性と、細径で柔軟な構造から来るアセンブリ形状の自由度の高さが、ニーズにマッチしたために極細同軸ケーブルを使用することが増加してきた。
【０００３】
図７を参照するに、ノートパソコン１０１や携帯電話は、基板やマザーボードなどを収納する本体１０３と液晶モニタ（ＬＣＤ）１０５とから構成されており、本体１０３と液晶モニタ１０５はヒンジ部１０７介して折り畳み可能に設けられている。
【０００４】
従来、上記の本体１０３と液晶モニタ１０５との間で電源や信号を送るために用いられる配線材１０９は、図７に示されているようにヒンジ部１０７にその軸線方向に交叉するように設けた細い挿通穴部１１１に通されるものであり、殆どが屈曲性のあるＦＰＣ（Flexible Printed Circuit）やシールドＦＰＣなどが使用されていた。
【０００５】
近年の液晶パネルの高解像度化に伴ってデータ伝送速度が向上するなか、配線材１０７も高周波特性に優れ、ＥＭＩ対策が配線材１０７に施されていることが要求される。この点で、一般的な同軸ケーブルは厚くなってしまうので使われていなかったが、極細同軸ケーブル１１３は上述したように細径で柔軟な構造であると共に、他の材料に比べ、上記のニーズに対して有利な配線材１０７である。
【０００６】
図８及び図９を参照するに、従来の極細同軸ケーブル１１３の構造としては、図８に示されているように中心部に直径０．０２５ｍｍ又は０．０３ｍｍφの７本の断面円形の中心導体１１５が撚られており、この中心導体１１５の外周にフッ素系樹脂としての例えばテフロン（登録商標）樹脂の絶縁体１１７が施されており、この絶縁体１１７の外周が直径０．０２５ｍｍ又は０．０３ｍｍφの２５本の断面円形の外部導体１１９が撚られてシールドされ、さらに前記外部導体１１９の外周がフッ素系樹脂としての例えばテフロン（登録商標）樹脂のジャケット１２１で被覆されている（例えば、特許文献１及び特許文献２参照）。
【０００７】
また、ノートパソコン１０１の液晶パネルケーブル１２３としては、図９に示されているように上記の多数の極細同軸ケーブル１１３が０．５ｍｍピッチ（以上）に並列に配列されて、その両側を束ねテープ１２５によりサンドイッチにユニット化するフラットケーブル加工が施されている。なお、上下の束ねテープ１２５と各極細同軸ケーブル１１３の間は空間である。
【特許文献１】特開２００１−２５６８３９号公報
【特許文献２】特開２００３−８６０３０号公報
【発明の開示】
【発明が解決しようとする課題】
【０００８】
ところで、従来の極細同軸ケーブル１１３においては、断面円形の丸線導体からなる中心導体１１５及び外部導体１１９は一般的に屈曲、捻回に優れているが、極細同軸フラットケーブルが、例えば図７に示されているようにノートパソコン１０１の液晶パネルケーブル１２３として使用される場合、前述したように本体１０３と液晶モニタ１０５はヒンジ部１０９を介して折り畳まれるので、ヒンジ部１０９の細い挿通穴部１１１に挿通される極細同軸ケーブル１１３は、ヒンジ部１０９にてＵ字屈曲が繰り返し行われる。しかし、従来の極細同軸ケーブル１１３は、上述したようなＵ字屈曲の仕様には向かないという問題点があった。
【０００９】
しかも、多様化するノートパソコン１０１は、軽薄短小化とデザインに嗜好が移り変わっているので、特にデザインの制約からノートパソコン１０１の可動部に該当するヒンジ部１０９の大きさや形状やスペースを小さくすることが要求される傾向にある。したがって、ヒンジ部１０９が小さくなると、ますますＵ字屈曲の曲げ半径が小さくなるために仕様条件が悪くなるという問題点があった。
【００１０】
現在では、携帯電話の配線材１０７などにも極細同軸ケーブル１１３が使用されつつあり、上述したＵ字屈曲のような仕様が出てきているので、それに対応することが求められている。
【００１１】
この発明は上述の課題を解決するためになされたものである。
【課題を解決するための手段】
【００１２】
この発明の極細同軸ケーブルは、断面矩形状をなす平角形の中心導体と、この中心導体の外周を被覆する絶縁体と、この絶縁体の外周をシールドする外部導体と、この外部導体の外周を被覆するジャケットと、から構成されていることを特徴とするものである。
【００１３】
この発明の極細同軸ケーブルは、前記極細同軸ケーブルにおいて、前記外部導体が前記絶縁体の外周を横巻きする横巻き素線からなり、前記ジャケットがフッ素系樹脂からなることが好ましい。
【００１４】
この発明の極細同軸ケーブルは、前記極細同軸ケーブルにおいて、前記外部導体が前記絶縁体の外周を横巻きするシールドテープからなり、前記ジャケットが前記外部導体の外周を横巻きする樹脂テープからなることが好ましい。
【００１５】
この発明の極細同軸ケーブルは、前記極細同軸ケーブルにおいて、前記外部導体が前記絶縁体の外周を横巻きする横巻き素線からなり、前記ジャケットが前記外部導体の外周を横巻きする樹脂テープからなることが好ましい。
【００１６】
この発明の極細同軸ケーブルは、断面矩形状をなす平角形の中心導体と、この中心導体の外周を被覆する絶縁体と、から中心導体ユニット部を構成すると共に、前記中心導体ユニット部の多数を、前記中心導体の長手方向に対して直交する方向の面において各中心導体ユニット部の幅方向を第１方向に向けて並列に配設し、前記面において第１方向に直交する第２方向の前記多数の中心導体ユニット部の両側全体に、シールド層をなす外部導体を設けてユニット化してなることを特徴とするものである。
【発明の効果】
【００１７】
以上のごとき課題を解決するための手段から理解されるように、この発明によれば、極細同軸ケーブルは、中心導体の断面が平角形をなす平角線であるので、Ｕ字屈曲が繰り返し行われても十分に対応できる。したがって、中心導体がインピーダンスコントロールされると共に極細同軸が持つ高シールド特性などの電気的優位性を維持したまま、Ｕ字屈曲に強く機械的にも優れているので、Ｕ字屈曲仕様の電子機器の配線材として幅広く適用できる。
【００１８】
また、フラットケーブルの形態の極細同軸ケーブルも同様であり、多数の各中心導体ユニット部の中心導体の断面が平角形をなす平角線であるので、中心導体がインピーダンスコントロールされると共に極細同軸が持つ高シールド特性などの電気的優位性を維持したまま、Ｕ字屈曲に強く機械的にも優れており、Ｕ字屈曲仕様の電子機器の配線材として幅広く適用できる。
【発明を実施するための最良の形態】
【００１９】
以下、この発明の実施の形態について図面を参照して説明する。
【００２０】
図１及び図２を参照するに、第１の実施の形態に係る極細同軸ケーブル１は、厚さＡは例えば０．０５ｍｍで、幅Ｂは例えば０．１ｍｍの断面矩形状をなす平角形の中心導体３と、この中心導体３の外周をフッ素系樹脂としての例えばテフロン（登録商標）樹脂で被覆する絶縁体５と、この絶縁体５の外周を横巻き素線７Ａで横巻きしてシールドする外部導体７と、この外部導体７の外周をフッ素系樹脂としての例えばテフロン（登録商標）樹脂９Ａで被覆するジャケット９と、から構成されている。
【００２１】
なお、上記の絶縁体５とジャケット９に用いられるフッ素系樹脂は、誘電率が低く、高周波の伝送に適しており、中心導体３と外部導体７とが同軸構造であるので、安定した伝送を期待でき、輻射ノイズの影響を軽減できるものである。
【００２２】
上記構成により、第１の実施の形態の極細同軸ケーブル１は、中心導体３の断面が平角形をなす平角線であるので、ノートパソコンや携帯電話などの液晶パネルケーブルとして使用される場合、例えば、従来技術で説明した図７に示されているようにノートパソコン１０１の本体１０３と液晶モニタ１０５のヒンジ部１０９の細い挿通穴部１１１に挿通され、本体１０３と液晶モニタ１０５の繰り返しの折り畳みによってＵ字屈曲が繰り返し行われても十分に対応できる。つまり、中心導体３がインピーダンスコントロールされると共に極細同軸が持つ高シールド特性などの電気的優位性を維持したまま、Ｕ字屈曲に強く機械的にも優れている。
【００２３】
以上のように、極綱同軸ケーブル１は、電気的優位性を維持したまま機械的に優れているので、上記のノートパソコン１０１や携帯電話に限らず、Ｕ字屈曲仕様の電子機器の配線材として幅広く適用できる。
【００２４】
次に、この発明の第２の実施の形態の極細同軸ケーブル１１について図面を参照して説明する。なお、第２の実施の形態の極細同軸ケーブル１１は、前述した第１の実施の形態で説明した図１とほぼ同様の構造であって、外部導体７とジャケット９の材質が異なり、他は同じである。
【００２５】
すなわち、図１及び図３を参照するに、第２の実施の形態の極細同軸ケーブル１１は、厚さは例えば０．０５ｍｍで、幅は例えば０．１ｍｍの断面矩形状をなす平角形の中心導体３と、この中心導体３の外周をフッ素系樹脂としての例えばテフロン（登録商標）樹脂で被覆する絶縁体５と、この絶縁体５の外周を例えば幅２ｍｍのシールドテープ（銅テープ）７Ｂで横巻きしてシールドする外部導体７と、この外部導体７の外周を樹脂テープとしての例えば幅２ｍｍのペットテープ９Ｂで横巻きして被覆するジャケット９と、から構成されている。
【００２６】
上記構成により、第２の実施の形態の極細同軸ケーブル１１の作用、効果は、第１の実施の形態の場合と同様であるので詳しい説明は省略する。
【００２７】
次に、この発明の第３の実施の形態の極細同軸ケーブル１３について図面を参照して説明する。なお、第３の実施の形態の極細同軸ケーブル１３は、前述した第１及び第２の実施の形態で説明した図１とほぼ同様の構造であって、外部導体７とジャケット９の材質の組み合わせが異なり、他は同じである。
【００２８】
すなわち、図１及び図４を参照するに、第３の実施の形態の極細同軸ケーブル１３は、厚さは例えば０．０５ｍｍで、幅は例えば０．１ｍｍの断面矩形状をなす平角形の中心導体３と、この中心導体３の外周をフッ素系樹脂としての例えばテフロン（登録商標）樹脂で被覆する絶縁体５と、この絶縁体５の外周を横巻き素線７Ａで横巻きしてシールドする外部導体７と、この外部導体７の外周を樹脂テープとしての例えば幅２ｍｍのペットテープ９Ｂで横巻きして被覆するジャケット９と、から構成されている。
【００２９】
上記構成により、第３の実施の形態の極細同軸ケーブル１３の作用、効果は、第１の実施の形態の場合と同様であるので詳しい説明は省略する。
【００３０】
次に、この発明の第４の実施の形態の極細同軸ケーブル１５について図面を参照して説明する。なお、前述した第１の実施の形態で説明した図１と同様の部材は同符号を付して説明する。
【００３１】
図５及び図６を参照するに、第４の実施の形態の極細同軸ケーブル１５は、例えばノートパソコンの液晶パネルケーブルなどとして使用されるフラットケーブルの形態である。すなわち、中心導体ユニット部１７が、厚さは例えば０．０５ｍｍで、幅は例えば０．１ｍｍの断面矩形状をなす平角形の中心導体１９と、この中心導体１９の外周をフッ素系樹脂としての例えばテフロン（登録商標）樹脂で被覆する絶縁体２１と、から構成される。さらに、多数の上記の中心導体ユニット部１７が、前記中心導体１９の長手方向に対して直交する方向の面において各中心導体ユニット部１７の幅方向を第１方向に向けて例えば０．４〜０．５ｍｍピッチ（以上）に並列に配列されると共に、前記面において第１方向に直交する第２方向の上記の多数の中心導体ユニット部１７の周囲が、シールド層をなす例えば束ねテープなどからなる外部導体２３によりサンドイッチにユニット化してフラットケーブル加工されている。
【００３２】
なお、上記の各中心導体ユニット部１７の絶縁体２１に用いられるフッ素系樹脂は、誘電率が低く、高周波の伝送に適しており、各中心導体ユニット部１７の中心導体１９と第２方向の両側のシールド層を外部導体２３とした同軸構造であるので、安定した伝送を期待でき、輻射ノイズの影響を軽減できるものである。
【００３３】
上記構成により、第４の実施の形態の極細同軸ケーブル１５は、基本的には前述した第１の実施の形態の場合とほぼ同様の作用、効果となる。すなわち、多数の各中心導体ユニット部１７の中心導体１９の断面が平角形をなす平角線であるので、ノートパソコンや携帯電話などの液晶パネルケーブルとして使用される際に、例えば図７に示されているようにノートパソコン１０１の本体１０３と液晶モニタ１０５のヒンジ部１０９の細い挿通穴部１１１に挿通されて、本体１０３と液晶モニタ１０５の繰り返しの折り畳みによってＵ字屈曲が繰り返し行われても十分に対応できる。つまり、中心導体１９がインピーダンスコントロールされると共に極細同軸が持つ高シールド特性などの電気的優位性を維持したまま、Ｕ字屈曲に強く機械的にも優れている。
【００３４】
以上のように、極綱同軸ケーブルは、電気的優位性を維持したまま機械的に優れているので、上記のノートパソコン１０１や携帯電話に限らず、Ｕ字屈曲仕様の電子機器の配線材として幅広く適用できる。
【図面の簡単な説明】
【００３５】
【図１】この発明の実施の形態の極細同軸ケーブルの断面図である。
【図２】この発明の第１の実施の形態の極細同軸ケーブルの斜視図である。
【図３】この発明の第２の実施の形態の極細同軸ケーブルの斜視図である。
【図４】この発明の第３の実施の形態の極細同軸ケーブルの斜視図である。
【図５】この発明の第４の実施の形態の極細同軸ケーブルの断面図である。
【図６】この発明の第４の実施の形態の極細同軸ケーブルの斜視図である。
【図７】極細同軸ケーブルの使用例を示すノートパソコン１０１の斜視図である。
【図８】従来の極細同軸ケーブルの断面図である。
【図９】従来のフラットケーブル型の極細同軸ケーブルの断面図である。
【符号の説明】
【００３６】
１  極細同軸ケーブル（第１の実施の形態の）
３  中心導体
５  絶縁体
７  外部導体
７Ａ  横巻き素線
７Ｂ  シールドテープ
９  ジャケット
９Ａ  テフロン（登録商標）樹脂
９Ｂ  ペットテープ
１１  極細同軸ケーブル（第２の実施の形態の）
１３  極細同軸ケーブル（第３の実施の形態の）
１５  極細同軸ケーブル（第４の実施の形態の）
１７  中心導体ユニット部
１９  中心導体
２１  絶縁体
２３  外部導体
【図１】
2005310528.tif 000003
【図２】
2005310528.tif 000004
【図３】
2005310528.tif 000005
【図４】
2005310528.tif 000006
【図５】
2005310528.tif 000007
【図６】
2005310528.tif 000008
【図７】
2005310528.tif 000009
【図８】
2005310528.tif 000010
【図９】
2005310528.tif 000011